(57)【要約】【課題】箱体を小型化することができ、また、光配線に触れて損傷させることがなく、機器のメンテナンスを安心して行うことができ、また、施工手順に沿って配線をすることできる施工性の良い光成端箱を提供する。【解決手段】光成端箱１は前面を開口した本体２と、本体２の前面開口を閉塞するカバー３とで箱体を構成し、本体２の背板２ｂに台座１３とケーブルクランプ１２のクランプ台１２ｂを設けて背板２ｂから前方に空隙を設けてパネル１４を固定し、本体２の背板２ｂとパネル１４との間に、光ケーブル４のテンションメンバ４ａを固定するためのテンションメンバクランプ７と、光ファイバ１０の融着部を保持するための融着ホルダ９と、光ファイバ１０の余長を保持するための余長ホルダ１１とを収納可能にすると共に、パネル１４上に機器１６を配設可能にする。【選択図】        図１
2004184630.tif 000002
【特許請求の範囲】
【請求項１】
前面を開口した本体と、該本体の前面開口を閉塞するカバーとで箱体を構成し、光ファイバの接続に使用する光成端箱において、前記本体の背板に部材を配設可能にし、前記背板から前方に空隙を設けてパネルを固定し、該パネル上に部材を配設可能にしたことを特徴とする光成端箱。
【請求項２】
前記本体の背板と前記パネルとの間に光ファイバの接続部と余長を収納したことを特徴とする請求項１に記載の光成端箱。
【請求項３】
前記箱体内に引き込んだ光ケーブルを挟持固定するためのケーブルクランプを前記パネルと一体に形成したことを特徴とする請求項１又は請求項２に記載の光成端箱。
【発明の詳細な説明】
【０００１】
【発明の属する技術分野】
本発明は、光ファイバの接続に使用する光成端箱の構造に関する。
【０００２】
【従来の技術】
従来の光成端箱は、箱体の本体内に引き込んだ光ケーブルを固定するためのケーブルクランプと、光ケーブルのテンションメンバを固定するためのテンションメンバクランプと、光ファイバの融着部と余長とを収納するための融着トレイと、機器を固定するための取り付け金具等を本体の背板に配設していた。また、光ファイバの接続に使用するアダプタや光ファイバコードの余長を収納する余長ホルダは融着トレイの上に配設していた。（例えば、非特許文献１参照）
【０００３】
【非特許文献１】
“スプライスボックス  メディアコンバータスペース付”［ｏｎｌｉｎｅ］、平成１４年３月、河村電器産業株式会社、［平成１４年１１月３０日検索］、インターネット＜ＵＲＬ：ｈｔｔｐ：／／ｗｗｗ．ｋａｗａｍｕｒａ．ｃｏ．ｊｐ／ｒａｃｋ／ｌｉｎｅｕｐ／ｓｐｌｉｃｅ＿ｂ／ｉｎｄｅｘ．ｈｔｍｌ＞
【０００４】
【発明が解決しようとする課題】
このように、従来の光成端箱は融着トレイの上にアダプタや余長ホルダを配設して箱体の小型化を図っているが、多くの部材を同一平面上に配設しているため配置面積が広くなり、箱体が大型化するし、また、光配線が露出するので機器をメンテナンスする際に光配線に触れて損傷させる虞があった。
【０００５】
そこで上記問題点に鑑み、本発明の目的は、箱体を小型化することができ、また、光配線に触れて損傷させることがなく、機器のメンテナンスを安心して行うことができ、また、施工手順に沿って配線をすることできる施工性の良い光成端箱を提供することである。
【０００６】
【課題を解決するための手段】
上記目的を達成するために、請求項１に記載の発明によれば、前面を開口した本体と、本体の前面開口を閉塞するカバーとで箱体を構成し、光ファイバの接続に使用する光成端箱において、本体の背板に部材を配設可能にし、背板から前方に空隙を設けてパネルを固定し、パネル上に部材を配設可能にしたことを特徴とする。
【０００７】
請求項２に記載の発明によれば、請求項１に記載の光成端箱において、本体の背板とパネルとの間に光ファイバの接続部と余長を収納したことを特徴とする。
【０００８】
請求項３に記載の発明によれば、請求項１又は請求項２に記載の光成端箱において、箱体内に引き込んだ光ケーブルを挟持固定するためのケーブルクランプをパネルと一体に形成したことを特徴とする。
【０００９】
【発明の実施の形態】
請求項１に記載の発明によれば、前面を開口した本体と、本体の前面開口を閉塞するカバーとで箱体を構成し、光ファイバの接続に使用する光成端箱において、本体の背板に部材を配設可能にし、背板から前方に空隙を設けてパネルを固定し、パネル上に部材を配設可能にしたことにより、箱体を小さくすることができる。
【００１０】
請求項２に記載の発明によれば、請求項１に記載の光成端箱において、本体の背板とパネルとの間に光ファイバの接続部と余長を収納したことにより、光配線に触れて損傷させることがなく、機器のメンテナンスを安心して行うことができ、また、施工手順に沿って配線をすることができる。
【００１１】
請求項３に記載の発明によれば、請求項１又は請求項２に記載の光成端箱において、箱体内に引き込んだ光ケーブルを挟持固定するためのケーブルクランプをパネルと一体に形成したことにより、部品点数を削減することができる。
【００１２】
【実施例】
本発明に係る光成端箱の実施例を図１の添付図面に基づいて説明する。
【００１３】
光成端箱１は前面と左右側面を開口した本体２と、本体２の前面と左右側面の開口を閉塞するカバー３とで箱体を構成している。
【００１４】
本体２の下側面板２ａには光ケーブル４を入線するためのケーブル入線孔５や、各種配線等を入出線するための複数の入出線孔６が切り欠き形成され、ケーブル入線孔５は本体２の背板２ｂに亘って切り欠かれ、本体２を壁面に設置した際に壁面から光ケーブル４を入線できるようになっている。
【００１５】
本体２の背板２ｂにはケーブル入線孔５の内側にテンションメンバクランプ７が配設され、ケーブル入線孔５から本体２内に入線した光ケーブル４のテンションメンバ４ａを固定ねじ８で螺着固定できるようになっている。
【００１６】
また、本体２の背板２ｂには融着ホルダ９が配設され、光ファイバ１０の融着部を保持できるようになっている。また、光ファイバ１０の余長はループ状にして余長ホルダ１１に保持している。尚、余長ホルダ１１を設けなくても本体２の左右側面２ｃが少し立ち上げて形成されているために保持することができ、左右側面２ｃの端部を内側方向に折曲形成することにより光ファイバ１０が前面に飛び出すのをより確実に防ぐことができる。
【００１７】
更に、本体２の背板２ｂの下部には本体２内に引き込んだ光ケーブル４等を固定するためのケーブルクランプ１２のクランプ台１２ｂがテンションメンバクランプ７と一体に形成されている。クランプ台１２ｂは台座としても機能し、本体２の背板２ｂの上部中央に設けられた台座１３とに本体２の背板２ｂより小さいパネル１４が取付ねじ１５で螺着固定され、パネル１４は本体２ｂとの間に空隙を設けて支持されている。
【００１８】
パネル１４の下部はケーブル押さえ１２ａが一体に形成され、本体２のクランプ台１２ｂとでケーブルクランプ１２を構成し、光ケーブル４等を挟持固定できる。尚、ケーブル押さえ１２ａはパネル１４を断面コ字状に折曲して形成され、先端が光ケーブル４等を損傷させないために円弧状に切り欠かれている。
【００１９】
また、パネル１４上には、例えば光ファイバの光信号とメタルケーブルの電気信号を相互に変換するためのメディアコンバータ等の機器１６が取り付け金具１７によって取り付け可能になっている。機器１６はパネル１４の表面に載置され、取り付け金具１７を機器１６の前面に当接させて両端の螺子１８でパネル１４に螺着することにより取り付け金具１７とパネル１４とで挟持固定される。パネル１４上には機器１６のズレ落ち防止のために機器１６の底面を支持する支持片１９が垂設されている。
【００２０】
機器１６へ光ファイバ１０を配線するにはパネル１４に切り欠き形成された通線孔２０からパネル１４の下に収納した光ファイバ１０を引き出して行う。また、機器１６の電源コード２１や配線２２は本体２の入出線孔６を通して出線する。
【００２１】
本体２を壁面に固定するには本体２の背板２ｂの上部に穿設されたダルマ孔２３と、背板２ｂの下部に穿設された螺子挿通孔２４とに本体取付ねじ２５を挿通させて壁面に螺着することにより行う。パネル１４にはダルマ孔２３を臨ませる透孔２６が穿設されているため、パネル１４を取り付けた状態で本体２の螺着が可能である。
【００２２】
本体２を壁面に固定したら、本体２の上側面板２ｄの端部中央に形成した係合受け部２７にカバー３の上端に形成した係合部２８を係止させて装着し、カバー３の下側面板と本体２の下側面板２ａとを重ね合わせてカバー取付ねじ３０で螺着して固定する。
【００２３】
【発明の効果】
以上説明したように、請求項１に記載の発明によれば、前面を開口した本体と、本体の前面開口を閉塞するカバーとで箱体を構成し、光ファイバの接続に使用する光成端箱において、本体の背板に部材を配設可能にし、背板から前方に空隙を設けてパネルを固定し、パネル上に部材を配設可能にしたことにより、箱体を小さくすることができるという効果がある。
【００２４】
請求項２に記載の発明によれば、請求項１に記載の光成端箱において、本体の背板とパネルとの間に光ファイバの接続部と余長を収納したことにより、光配線に触れて損傷させることがなく、機器のメンテナンスを安心して行うことができ、また、施工手順に沿って配線をすることができ、施工性が良いという効果がある。
【００２５】
請求項３に記載の発明によれば、請求項１又は請求項２に記載の光成端箱において、箱体内に引き込んだ光ケーブルを挟持固定するためのケーブルクランプをパネルと一体に形成したことにより、部品点数を削減することができるという効果がある。
【図面の簡単な説明】
【図１】本発明に係る光成端箱の分解斜視図である。
【符号の説明】
１…光成端箱
２…本体
２ｂ…背板
３…カバー
４…光ケーブル
７…テンションメンバクランプ
９…融着ホルダ
１０…光ファイバ
１１…余長ホルダ
１２…ケーブルクランプ
１３…台座
１４…パネル
１６…機器
【図１】
2004184630.tif 000003